(57)【特許請求の範囲】
【請求項１】
額縁用のフレーム要素であって、中に上支持要素（２）が挿入された下支持要素（９）を有し、上支持要素（２）は、支持要素（２、９）がフレームの隅を包囲して、所望の任意の高さのフレームに適合できるように、下支持要素（９）に挿入され、上支持要素（２）の上側には、装飾要素（３）の夫々の結合部材（１２）と協同する受入れ手段がスナップ留め具の形態をなして設けられ、装飾要素（３）は、結合部材（１２）が受入れ手段に受入れられた後に、結合部材（１２）を中心に回転可能である額縁用のフレーム要素。
【請求項２】
上支持要素（２）各々が、少なくとも１つのスリーブ（８）を備え、その中に、関連した下支持要素（９）のピンが夫々挿入可能であり、或いは、上支持要素（２）各々が、少なくとも１つのピンを備え、このピンが、関連した下支持要素（９）のスリーブ（８）に夫々挿入可能であることを特徴とする、請求項１に記載のフレーム要素。
【発明の詳細な説明】
本発明は額縁用フレーム要素に関する。
額縁、特に、写真用のフレームは種々の寸法、及び種々の構造で提供される。ほんの少しの装飾を有する額縁の他に、フレーム要素がより複雑な仕方で、或いは複雑でない仕方で輪郭を付けられ、又は装飾されて設計された多数の形態が知られている。しかしながら、特に豊富な装飾を有するフレームは、ほとんどの場合、いくらかの時間がたった後に、見る者にそのフレームはもはや相応しくないと感じさせるだろう。これに対して、非常に多種の異なるフレームにも関わらず、莫大な入手可能な種類の中から、特に装飾効果を意図したフレームを見つけることは常に容易ではなく、それ故に、後ほど、フレームを或る場合に適合させ、又は或る環境に適合させるために、フレームを換えたり、装飾したりする欲求が起る。
FR-2 632 509は、本質的に、４つの長手方向部分と共に、該長手方向部分の端面の中に挿入することができる４つの隅連結部を有する額縁を示し、記載する。長手方向部分の側には、装飾用滑入要素を前記部分又は前記隅連結部を介して取付可能な長手方向リブが設けられている。
GB-2 286 526Aから、装飾要素を受け入れるためのジョイントを外部に含む組合せ梁が設けられたフレームシステムが知られるようになった。装飾要素、隅要素、又はペディメントが、例えば使用されるとき、それらは、例えば接着剤によってフレームの外側面に固定されるだろう。
CH-686 553 A5から、部品をフレームに組立てるための傾斜した要素が知られるようになった。そこでは、組合せ梁は一体に形成された傾斜部品の中に挿入され、組合せ梁が傾斜要素の中に正確に適合するように、傾斜要素の内面は組合せ梁の外形に対応するように設計される。傾斜要素は追加の装飾要素を固定するための開口部を含む。
本発明は、煩雑な適合作業を伴うことなく簡単に、遡及的に、美的な全体の印象に関してフレームを根本的に変えることが容易にできる額縁用のフレーム要素を提供することを目的とする。この目標を解決するために、本発明は、額縁用のフレーム要素であって、中に上支持要素が挿入された下支持要素を有し、上支持要素は、支持要素がフレームの隅を包囲して、フレーム要素が任意の所望のフレーム高さに適合できるように挿入され、上支持要素の上側には、装飾要素の夫々の結合部材と協同する受入れ手段がスナップ留め具の形態をなして設けられ、装飾要素は、スナップ留めクロージャー（closure）をつけた後に、その場で回転可能である。上支持要素が下支持要素の中に挿入される、フレームの隅を包囲する２つの相互連結可能な支持要素が提供されるという事実によって、簡単に、任意の所望のフレーム高さ及びフレーム形状に適合することができる万能要素を提案することができる。支持要素がフレームの隅を包囲し、互いに、簡単に取り外し可能に連結することができる。一方の支持要素が各々、装飾要素の夫々の結合部材と協働するスナップ留め具の形態をなす受入手段を有し、取り外し可能に装飾要素と連結できるという事実によって、任意の形状及び形態の装飾要素を、かかる支持要素に取付けることが、今、実行可能になり、かくしてフレームの全体的な外観を基本的に変化させる。その場合、装飾要素を、特に簡単にデザインすることができ、使用者によるその後の個々のデザインにも役に立つ。装飾要素は、概して、多くの領域が個々のデザイン及び個人的なデザインに委ねられるように、容易に布で覆われ、或いは彩色される。
本発明によるフレーム要素の好ましい更なる発展によれば、支持要素が各々、少なくとも１つのピン又はスリーブを備え、関連した第２の支持要素のピン又はスリーブを夫々挿入することができるように、形態が案出される。この仕方では、支持要素同士を簡単に互いに連結することができ、ピンとスリーブとの間の適合を、ピンをスリーブの中に確実に挿入できるように案出され、それにより、装飾要素を支えるのに要求される支持を保証する。
以下に、本発明を概略的に図面に示した例示の実施形態によって、より詳細に説明するが、図面中の受入れ手段は、本発明によるスナップ留め具の代りに発明を構成しないレールの形態で示される。ここで、図１は本発明による装飾要素と共に支持要素を有するフレームの平面図であり、図２は装飾要素を外した、滑入した支持要素を有するフレームの側面図であり、図３は図２の矢印IIIの方向の図であり、図４は支持要素の直線IV−IVに沿った断面図であり、図５は図２、３又は４による支持要素に係止されるための装飾要素の上面図であり、図６は図５の装飾要素の、図５の直線VI−VIに沿った断面図であり、図５は図６の矢印Ｖから見た上面図である。
図１はフレーム部材を参照番号１で示すフレームを表す。支持要素２はかかるフレームの隅に取付けられる。図１の左上隅には、かかる支持要素２に係止された第１装飾要素３が見える。図１のフレームの右上隅には変更した装飾要素４を有する。図１のフレームの左下隅には装飾要素が破線５で示され、レール６の形態をなす受入手段が支持要素２の上側に見える。右下隅には、装飾要素７の下のフレーム又は支持要素２の輪郭が一点鎖線によって表される。図１の２つの下の隅には、スリーブ８が夫々見え、スリーブ８の中には、フレームの隅を包囲するために、支持要素２の下に配置された支持要素２の夫々のピンを挿入することができる。
図２から、上支持要素２は下支持要素９に挿入されることが明らかである。下支持要素９は、上支持要素２が下支持要素９の中に滑入することができるように、参照番号１０によって指示される突出した縁を持って曲げられるように設計される。上支持要素の上側に、レールによって構成された、結合部材用の受入手段が再び見える。支持要素２及び９は、側面から見ても美的な外観を確保するためにフレームの隅を包囲する。図３及び４は各々、支持要素の下に配置された支持要素のピンを受け入れるスリーブ８を示し、特に、図４から明らかなように、結合要素用の受入手段６は、装飾要素を固定するとき確実な連結を確保するために、内曲した縁１１を有する。
図５及び６は、それらの図で参照番号３によって再び指示される装飾要素を示す。装飾要素３は支持要素２に面する側に結合部材１２を有し、受入手段６及び／又は結合部材１２が適当に弾性変形可能である場合、該結合部材１２を結合部材用の受入手段６に係止することができる。又、結合部材１２を受入手段６内に横方向に挿入することができ、所望の位置に移動させることができる。その場合、結合部材１２及び受入手段６は各々、所望の位置に確実な固定を確保するような寸法にされる。
【図１】
0004067129.tif 000002
【図２】
0004067129.tif 000003
【図３】
0004067129.tif 000004
【図４】
0004067129.tif 000005
【図５】
0004067129.tif 000006
【図６】
0004067129.tif 000007